(57)【要約】【課題】平滑コンデンサの寿命末期を報知する照明器具を提供する。【解決手段】入力された交流電力を整流する整流部１と、整流部１の出力を平滑化する平滑コンデンサＣ１と、平滑コンデンサＣ１を電源として少なくとも１個の発光ダイオード４を点灯させる光源駆動部２とを備える。また、各発光ダイオード４が点灯されている期間中に平滑コンデンサＣ１の両端電圧Ｖｃの下側ピーク値が所定の判定電圧未満となったときに平滑コンデンサＣ１が寿命末期であると判定する判定部３を備える。平滑コンデンサＣ１が寿命末期であると判定部３が判定すると、各発光ダイオード４の点灯状態が変更されることで、平滑コンデンサＣ１が寿命末期であることが報知される。報知を確認した使用者が適宜の対処を行うことで、各発光ダイオード４におけるちらつきの発生が避けられる。【選択図】図１
2012226875.tif 000002
【特許請求の範囲】
【請求項１】
入力された交流電力を整流する整流部と、
前記整流部の出力を平滑化する平滑コンデンサと、
前記平滑コンデンサを電源として少なくとも１個の発光ダイオードを点灯させる光源駆動部と、
各前記発光ダイオードが点灯されている期間中に前記平滑コンデンサの両端電圧の下側ピーク値が所定の判定電圧未満となったときに前記平滑コンデンサが寿命末期であると判定する判定部と、
前記平滑コンデンサが寿命末期であると前記判定部が判定したときに前記平滑コンデンサが寿命末期であることを使用者に報知する報知部とを備えることを特徴とする照明器具。
【請求項２】
前記判定部は、前記平滑コンデンサが寿命末期であると判定したときに、前記報知部としての各前記発光ダイオードの点灯状態によって前記平滑コンデンサの寿命末期が報知されるように、前記光源駆動部を制御することを特徴とする請求項１記載の照明器具。
【発明の詳細な説明】
【技術分野】
【０００１】
本発明は、照明器具に関するものである。
【背景技術】
【０００２】
従来から、交流電力を変換した直流電力により発光ダイオードを点灯させる照明器具が提供されている。
【０００３】
この種の照明器具は、交流電力を整流する整流部と、整流部の直流出力（脈流出力）を平滑化する平滑コンデンサと、平滑コンデンサを電源として発光ダイオードを点灯させる光源駆動部とを備える（例えば、特許文献１参照）。
【０００４】
整流部は例えばダイオードブリッジからなり、光源駆動部は例えばフライバックコンバータからなる。
【０００５】
平滑コンデンサとしては、比較的にキャパシタンスが高い電解コンデンサが用いられることが多い。
【先行技術文献】
【特許文献】
【０００６】
【特許文献１】特開２０１０−１１０１５７号公報
【発明の概要】
【発明が解決しようとする課題】
【０００７】
ここで、電解コンデンサは経年劣化によりキャパシタンスが低下する。そして、平滑コンデンサのキャパシタンスが低下した場合、平滑コンデンサの両端電圧の振幅が大きくなり、これにより光源駆動部の出力に発生するリプルの振幅も大きくなる。発光ダイオードは、白熱灯に比べ、入力の変動に対する応答が速いことにより、上記のようなリプルによるちらつきが目立ちやすい。
【０００８】
上記のリプルの周波数は、上記の整流部による整流が全波整流であれば上記の交流電力の周波数の２倍であり、一般に１００Ｈｚ以上となるので、上記のちらつきは肉眼による直視では認識されにくい。しかしながら、上記の照明の下で動画が撮影される場合、撮像の周期と上記のちらつきの周期との関係によっては、肉眼で認識可能な周波数のちらつきが動画中で発生する可能性がある。また、肉眼で認識されないちらつきであっても、眼精疲労の原因となる可能性があるから好ましくない。
【０００９】
本発明は、上記事由に鑑みて為されたものであり、その目的は、平滑コンデンサの寿命末期を報知する照明器具を提供することにある。
【課題を解決するための手段】
【００１０】
本発明の照明器具は、入力された交流電力を整流する整流部と、前記整流部の出力を平滑化する平滑コンデンサと、前記平滑コンデンサを電源として少なくとも１個の発光ダイオードを点灯させる光源駆動部と、各前記発光ダイオードが点灯されている期間中に前記平滑コンデンサの両端電圧の下側ピーク値が所定の判定電圧未満となったときに前記平滑コンデンサが寿命末期であると判定する判定部と、前記平滑コンデンサが寿命末期であると前記判定部が判定したときに前記平滑コンデンサが寿命末期であることを使用者に報知する報知部とを備えることを特徴とする。
【００１１】
この照明器具において、前記判定部は、前記平滑コンデンサが寿命末期であると判定したときに、前記報知部としての各前記発光ダイオードの点灯状態によって前記平滑コンデンサの寿命末期が報知されるように、前記光源駆動部を制御することが望ましい。
【発明の効果】
【００１２】
本発明によれば、平滑コンデンサの両端電圧の下側ピーク値に基いて判定部が平滑コンデンサの寿命末期を判定したときに、報知部によって平滑コンデンサの寿命末期が報知される。
【図面の簡単な説明】
【００１３】
【図１】本発明の実施形態を示す回路ブロック図である。
【図２】（ａ）は平滑コンデンサが寿命末期ではないと判定されるコンデンサ電圧Ｖｃの波形の例を示す説明図であり、（ｂ）は平滑コンデンサが寿命末期であると判定されるコンデンサ電圧Ｖｃの波形の例を示す説明図である。
【発明を実施するための形態】
【００１４】
以下、本発明を実施するための最良の形態について、図面を参照しながら説明する。
【００１５】
本実施形態は、図１に示すように、交流電源６からヒューズ５を介して入力された交流電力を全波整流するダイオードブリッジからなる整流部１と、整流部１の直流出力端間に接続されて整流部１の直流出力（脈流出力）を平滑化する平滑コンデンサＣ１とを備える。平滑コンデンサＣ１は電解コンデンサからなる。
【００１６】
また、本実施形態は、平滑コンデンサＣ１を電源として少なくとも１個（図では２個）発光ダイオード４を点灯させる光源駆動部２を備える。光源駆動部２としては、例えば、フライバックコンバータやバックコンバータといった、周知のＤＣ−ＤＣコンバータを用いることができる。
【００１７】
さらに、各発光ダイオード４が点灯されている期間中に平滑コンデンサＣ１の両端電圧（以下、「コンデンサ電圧」と呼ぶ。）Ｖｃを監視し、このコンデンサ電圧Ｖｃに基いて、平滑コンデンサＣ１が寿命末期か否かを判定する判定部３を備える。
【００１８】
ここで、経年劣化により平滑コンデンサＣ１のキャパシタンスが低下すると、コンデンサ電圧Ｖｃの振幅は徐々に大きくなり、コンデンサ電圧Ｖｃの下側ピーク値Ｖｃｂは低下する。
【００１９】
本実施形態の判定部３は、コンデンサ電圧Ｖｃの下側ピーク値Ｖｃｂを所定の判定電圧Ｖｔｈと比較することにより、平滑コンデンサＣ１が寿命末期か否かを判定する。
【００２０】
そして、図２（ａ）に示すように下側ピーク値Ｖｃｂが判定電圧Ｖｔｈ以上であれば、判定部３は、平滑コンデンサＣ１は寿命末期ではないと判定する。この場合、光源駆動部２は、各発光ダイオード４の点灯を継続させる。
【００２１】
また、図２（ｂ）に示すように下側ピーク値Ｖｃｂが判定電圧Ｖｔｈ未満であれば、判定部３は、平滑コンデンサＣ１は寿命末期であると判定する。この場合、光源駆動部２は、判定部３からの制御（入力）により、平滑コンデンサＣ１が寿命末期であることを使用者に報知するための報知動作を開始する。報知動作は、通常の点灯状態と異なることが使用者に認識されるものであればよい。報知動作としては、例えば、各発光ダイオード４を点滅させるものや、各発光ダイオード４を消灯させるものや、各発光ダイオード４への出力電流を減少させることで各発光ダイオード４の光出力を低下させるものなどが考えられる。つまり、各発光ダイオード４の点灯状態によって平滑コンデンサＣ１の寿命末期が報知されるのであり、各発光ダイオード４が報知部として兼用されている。
【００２２】
上記の報知を確認した使用者が、平滑コンデンサＣ１の交換や照明器具そのものの交換など、適宜の対処を行えば、各発光ダイオード４におけるちらつきの発生を避けることができる。
【００２３】
なお、上記のように各発光ダイオード４の点灯状態によって平滑コンデンサＣ１の寿命末期を報知する代わりに、平滑コンデンサＣ１の寿命末期を報知する報知部を別途に設けてもよい。別途の報知部としては、例えば、判定部３の判定結果に応じて点灯・消灯を切替えられる発光素子などが考えられる。ただし、上記のように各発光ダイオード４を報知部として兼用したほうが、部品点数の削減による製造コストの低減が可能となるという利点がある。
【符号の説明】
【００２４】
１  整流部
２  光源駆動部
３  判定部
４  発光ダイオード（報知部を兼ねる）
Ｃ１  平滑コンデンサ
Ｖｃｂ  下側ピーク値
Ｖｔｈ  判定電圧
【図１】
2012226875.tif 000003
【図２】
2012226875.tif 000004